(57)【要約】【課題】特定の業務のジョブとそれ以外のジョブとを識別し、エラーの発生時には特定の業務のジョブのみをキャンセルすることで印刷処理の効率を向上させること。【解決手段】プリンタ装置１００は、ネットワーク１０１を介して印刷指示や印刷データの作成を行うホストコンピュータ１０２と接続される。このプリンタ装置１００は、プリンタコントローラ１０３、操作パネル１０４、およびプリンタエンジン１０５により構成されている。プリンタコントローラ１０３は、印刷画像データを生成する。操作パネル１０４は、ユーザーからの処理命令が入力される。また、この操作パネル１０４には、各種情報を表示するための表示部が備えられている。プリンタエンジン１０５は、用紙に対して画像の印刷を実行する。【選択図】        図１
2006212799.tif 000002
【特許請求の範囲】
【請求項１】
ホストコンピュータからのデータを受信するデータ受信手段と、
前記データ受信手段が受信したデータを用いて画像を作成する画像作成手段と、
前記画像作成手段が作成した画像を用紙に印刷する印刷手段と、
前記印刷手段によるジョブの印刷処理中のエラーによる印刷処理の停止後、エラー解除された場合に、当該ジョブの印刷処理を再開しないで保留状態にするジョブ保留手段と、
あらかじめ設定されたジョブ識別情報によって、当該ジョブを識別するジョブ識別手段と、
前記ジョブ識別手段によって識別されたジョブをキャンセルする第１のジョブキャンセル手段と、
を備えたことを特徴とするプリンタ装置。
【請求項２】
前記ジョブ保留手段により保留された状態のジョブの名称を表示する表示手段と、
ユーザ操作によってジョブを選択して印刷処理を再開する印刷処理再開手段と、
を備えたことを特徴とする請求項１に記載のプリンタ装置。
【請求項３】
前記ジョブ保留手段により保留された状態のジョブの名称を表示する表示手段と、
ユーザ操作によってジョブを選択して削除するジョブ削除手段と、
を備えたことを特徴とする請求項１に記載のプリンタ装置。
【請求項４】
前記ジョブ保留手段により保留された状態のジョブと新たに受信したジョブとのジョブ識別情報を比較する第１のジョブ識別情報比較手段と、
前記第１のジョブ識別情報比較手段による識別の結果、前記ジョブ識別情報が同一であれば、前記ジョブ保留手段により保留されている状態のジョブを削除する保留ジョブ削除手段と、
を備えたことを特徴とする請求項２に記載のプリンタ装置。
【請求項５】
前記ジョブ保留手段により保留された状態のジョブを前記印刷処理再開手段が処理再開した場合に、当該ジョブのジョブ識別情報を記憶する記憶手段と、
前記記憶手段により記憶された前記ジョブ識別情報と、新たに受信したジョブの前記ジョブ識別情報を比較する第２のジョブ識別情報比較手段と、
前記第２のジョブ識別情報比較手段による識別の結果、当該ジョブ識別情報が同一であれば、新たに受信したジョブをキャンセルする第２のジョブキャンセル手段と、
を備えたことを特徴とする請求項２に記載のプリンタ装置。
【発明の詳細な説明】
【技術分野】
【０００１】
この発明は、各種の印刷処理を行うプリンタ装置に関する。
【背景技術】
【０００２】
従来から、印刷ページ数をホストコンピュータで管理して大量に印刷を行う作業が行われている。この作業において、ジャム等のエラーでプリンタ装置が停止した場合の対処は、装置の電源を切らずにエラーを解除して印刷処理を再開する方法と、電源を切って後続の印刷ページを消す方法とがある。しかし、いずれの方法においても、どのページから印刷処理を開始するべきか特定できないという問題があった。そこで、従来は、前記いずれの方法でも正しいページから印刷処理を再開するために、印刷完了したページ数をホストコンピュータにフィードバックして、ジョブをキャンセルすることが行われていた（たとえば、特許文献１〜１１を参照。）。
【０００３】
【特許文献１】特許第３３７６２５６号公報
【特許文献２】特許第３５４７００１号公報
【特許文献３】特開２００４−８６２８２号公報
【特許文献４】特開２００４−１３０７８４号公報
【特許文献５】特開２００３−３０５９２８号公報
【特許文献６】特開２００３−３２０７３６号公報
【特許文献７】特開２００３−３４１１５７号公報
【特許文献８】特開２００２−１０３７３２号公報
【特許文献９】特開２００１−１５９９６４号公報
【特許文献１０】特開２０００−６２２９２号公報
【特許文献１１】特開平１１−２１６９３０号公報
【発明の開示】
【発明が解決しようとする課題】
【０００４】
しかしながら、上記従来技術では、ジャム等のエラーが発生した時には、特定の業務のジョブだけではなくすべてのジョブがキャンセルされてしまうため、すべてのジョブの印刷処理を再実行する必要があり、印刷処理の効率が低下し、ユーザーの作業負荷となっているという問題があった。また、処理の途中でジョブがキャンセルされると、一部分しか印字されていない用紙が現れ、資源の無駄使いになるという問題もある。
【０００５】
この発明は、上述した従来技術による問題点を解消するため、特定の業務のジョブとそれ以外のジョブとを識別し、エラーの発生時には特定の業務のジョブのみをキャンセルすることで印刷処理の効率を向上させることができるプリンタ装置を提供することを目的とする。
【課題を解決するための手段】
【０００６】
上述した課題を解決し、目的を達成するため、この発明の請求項１にかかるプリンタ装置は、ホストコンピュータからのデータを受信するデータ受信手段と、前記データ受信手段が受信したデータを用いて画像を作成する画像作成手段と、前記画像作成手段が作成した画像を用紙に印刷する印刷手段と、前記印刷手段によるジョブの印刷処理中のエラーによる印刷処理の停止後、エラー解除された場合に、当該ジョブの印刷処理を再開しないで保留状態にするジョブ保留手段と、あらかじめ設定されたジョブ識別情報によって、当該ジョブを識別するジョブ識別手段と、前記ジョブ識別手段によって識別されたジョブをキャンセルする第１のジョブキャンセル手段と、を備えたことを特徴とする。
【０００７】
この請求項１に記載の発明によれば、特定の業務のジョブの場合にのみ、ジョブキャンセルすることが可能になる。
【０００８】
また、請求項２にかかるプリンタ装置は、請求項１に記載の発明において、前記ジョブ保留手段により保留された状態のジョブの名称を表示する表示手段と、ユーザー操作によってジョブを選択して印刷処理を再開する印刷処理再開手段と、を備えたことを特徴とする。
【０００９】
この請求項２に記載の発明によれば、保留状態のジョブの名称を表示し、ユーザーの操作によって、ジョブを選択して印刷の再開を行うことが可能になる。
【００１０】
また、請求項３にかかるプリンタ装置は、請求項１に記載の発明において、前記ジョブ保留手段により保留された状態のジョブの名称を表示する表示手段と、ユーザー操作によってジョブを選択して削除するジョブ削除手段と、を備えたことを特徴とする。
【００１１】
この請求項３に記載の発明によれば、保留状態のジョブの名称を表示し、ユーザーの操作によって、ジョブを選択して印刷の削除を行うことが可能になる。
【００１２】
また、請求項４にかかるプリンタ装置は、請求項２に記載の発明において、前記ジョブ保留手段により保留された状態のジョブと新たに受信したジョブとのジョブ識別情報を比較する第１のジョブ識別情報比較手段と、前記第１のジョブ識別情報比較手段による識別の結果、前記ジョブ識別情報が同一であれば、前記ジョブ保留手段により保留されている状態のジョブを削除する保留ジョブ削除手段と、を備えたことを特徴とする。
【００１３】
この請求項４に記載の発明によれば、保留状態のジョブ識別情報と、新たにホストコンピュータから送られたジョブ識別情報を比較して、同一のジョブ識別情報であれば、保留状態のジョブを削除することができる。
【００１４】
また、請求項５にかかるプリンタ装置は、請求項２に記載の発明において、前記ジョブ保留手段により保留された状態のジョブを前記印刷処理再開手段が処理再開した場合に、当該ジョブのジョブ識別情報を記憶する記憶手段と、前記記憶手段により記憶された前記ジョブ識別情報と、新たに受信した前記ジョブ識別情報を比較する第２のジョブ識別情報比較手段と、前記第２のジョブ識別情報比較手段による識別の結果、前記ジョブ識別情報が同一であれば、新たに受信したジョブをキャンセルする第２のジョブキャンセル手段と、を備えたことを特徴とする。
【００１５】
この請求項５に記載の発明によれば、印刷処理が再開されたジョブ（保留状態にあったジョブ）のジョブ識別情報と、新たにホストコンピュータから送られたジョブのジョブ識別情報とを比較して、同一のジョブ識別情報であれば、新たに送られたジョブをキャンセルすることができる。
【発明の効果】
【００１６】
以上説明したように、請求項１に記載の発明によれば、ホストコンピュータからのデータを受信するデータ受信手段と、前記データ受信手段が受信したデータを用いて画像を作成する画像作成手段と、前記画像作成手段が作成した画像を用紙に印刷する印刷手段と、前記印刷手段によるジョブの印刷処理中のエラーによる印刷処理の停止後、エラー解除された場合に、当該ジョブの印刷処理を再開しないで保留状態にするジョブ保留手段と、あらかじめ設定されたジョブ識別情報によって、当該ジョブを識別するジョブ識別手段と、前記ジョブ識別手段によって識別されたジョブをキャンセルする第１のジョブキャンセル手段と、を備えたので、特定の業務のジョブの場合にのみ、ジョブキャンセルすることが可能になるという効果を奏する。
【００１７】
また、請求項２に記載の発明によれば、請求項１に記載の発明において、前記ジョブ保留手段により保留された状態のジョブの名称を表示する表示手段と、ユーザー操作によってジョブを選択して印刷処理を再開する印刷処理再開手段と、を備えたので、保留状態のジョブの名称を表示し、ユーザーの操作によって、ジョブを選択して印刷の再開を行うことが可能になるという効果を奏する。
【００１８】
また、請求項３に記載の発明によれば、請求項１に記載の発明において、前記ジョブ保留手段により保留された状態のジョブの名称を表示する表示手段と、ユーザー操作によってジョブを選択して削除するジョブ削除手段と、を備えたので、保留状態のジョブの名称を表示し、ユーザーの操作によって、ジョブを選択して印刷の削除を行うことが可能になるという効果を奏する。
【００１９】
また、請求項４に記載の発明によれば、請求項２に記載の発明において、前記ジョブ保留手段により保留された状態のジョブと新たに受信したジョブとのジョブ識別情報を比較する第１のジョブ識別情報比較手段と、前記第１のジョブ識別情報比較手段による識別の結果、前記ジョブ識別情報が同一であれば、前記ジョブ保留手段により保留されている状態のジョブを削除する保留ジョブ削除手段と、を備えたので、保留状態のジョブ識別情報と、新たにホストコンピュータから送られたジョブのジョブ識別情報を比較して、同一のジョブ識別情報であれば、保留状態のジョブを削除することができるという効果を奏する。
【００２０】
また、請求項５に記載の発明によれば、請求項２に記載の発明において、前記ジョブ保留手段により保留された状態のジョブを前記印刷処理再開手段が処理再開した場合に、当該ジョブのジョブ識別情報を記憶する記憶手段と、前記記憶手段により記憶された前記ジョブ識別情報と、新たに受信したジョブの前記ジョブ識別情報を比較する第２のジョブ識別情報比較手段と、前記第２のジョブ識別情報比較手段による識別の結果、前記ジョブ識別情報が同一であれば、新たに受信したジョブをキャンセルする第２のジョブキャンセル手段と、を備えたので、印刷処理が再開されたジョブ（保留状態にあったジョブ）のジョブ識別情報と、新たにホストコンピュータから送られたジョブのジョブ識別情報とを比較して、同一のジョブ識別情報であれば、新たに送られたジョブをキャンセルすることができるという効果を奏する。
【発明を実施するための最良の形態】
【００２１】
以下、添付図面を参照して、この発明にかかるプリンタ装置の好適な実施の形態を詳細に説明する。
【００２２】
図１は、この発明の実施の形態にかかるプリンタ装置の構成を示すブロック図である。このプリンタ装置１００は、ネットワーク１０１を介して印刷指示や印刷データの作成を行うホストコンピュータ１０２と接続されている。
【００２３】
このプリンタ装置１００は、プリンタコントローラ１０３、操作パネル１０４、およびプリンタエンジン１０５により構成される。プリンタコントローラ１０３は、印刷画像データを生成する。操作パネル１０４は、ユーザーからの処理命令が入力される。また、この操作パネル１０４には、各種情報を表示するための表示部が備えられている。プリンタエンジン１０５は、用紙に対して画像の印刷を実行する。
【００２４】
また、プリンタコントローラ１０３は、ＣＰＵ１１１、ホストインタフェース１１２、メモリ１１３、操作パネルインタフェース（パネルインタフェース）１１４、およびエンジンインタフェース１１５を含み構成される。そして、上記各構成部は、内部バス１１６により接続されている。
【００２５】
ＣＰＵ１１１は、このプリンタ装置１００の全体を制御する。また、ホストコンピュータ１０２から送られた印刷データを画像データに変換して、プリンタエンジン１０５へ渡す。ホストインタフェース１１２は、ネットワーク１０１を介してホストコンピュータ１０２と接続する。メモリ１１３は、ＣＰＵ１１１が使用する記憶装置であり、このプリンタ装置１００が動作するプログラムが記憶されている。また、ＣＰＵ１１１で作成された画像データを保存する。また、ホストインタフェース１１２が受信した印刷データを保存する受信バッファを備えている。また、ホストコンピュータ１０２上のプリンタドライバなどがジョブを識別するために自動的に付加したジョブ識別情報（トラックＩＤ）を記憶する。操作パネルインタフェース１１４は、プリンタコントローラ１０３と操作パネル１０４とを接続する。エンジンインタフェース１１５は、プリンタコントローラ１０３とプリンタエンジン１０５とを接続する。
【００２６】
次に、このプリンタ装置１００で用いるジョブの識別設定について説明する。図２は、このジョブ識別設定の一例を示す表である。２０１は、識別情報（ジョブ識別情報）をユーザーコード（ユーザーがプリンタドライバなどで設定する値）に設定して、設定ありの場合はジョブキャンセルする設定である。２０２は、ジョブ識別情報をユーザー名（ホストコンピュータ１０２上で識別されるユーザーの名称）に設定して、設定ありの場合はジョブキャンセルしない設定である。２０３は、ジョブ識別情報を文書名（ホストコンピュータ１０２上で管理される文書（ファイル）の名称）に設定して、設定ありの場合はジョブキャンセルしない設定である。２０４は、ジョブ識別情報をホスト名（ホストコンピュータ１０２の名称）に設定して、設定ありの場合はジョブキャンセルする設定である。２０５は、ＩＰアドレス範囲の設定をして、範囲外のＩＰアドレスの場合はジョブキャンセルしない設定である。
【００２７】
次に、メモリ１１３に記憶されるジョブ識別情報の状態を説明する。図３は、メモリ１１３に記憶されるジョブ識別情報の状態を示す図である。メモリ１１３には、１番目に取得されたジョブ識別情報、２番目に取得されたジョブ識別情報、・・・、ｎ（ｎは自然数）番目に取得されたジョブ識別情報の順に記憶される。そして、ｎ＋１番目に取得されたジョブ識別情報は、１番目に取得されたジョブ識別情報に上書きされる。すわわち、古い記憶されたジョブ識別情報から順に上書き消去される。
【００２８】
以下、このプリンタ装置１００による処理について説明する。以下の処理は、ＣＰＵ１１１がメモリ１１３に記憶されているプログラムを実行することにより可能になる。
【００２９】
まず、ジョブキャンセルを行う場合の処理について説明する。図４は、このジョブキャンセルの処理手順を示すフローチャートである。図４に示すフローチャートにおいて、まず、印刷処理中にジャム等のエラーで印刷が停止した場合、エラーを解除する（ステップＳ４０１）。次に、ジョブ状態を保留状態に変更する（ステップＳ４０２）。ＣＰＵ１１１は、あらかじめ設定されたジョブ識別設定（図２参照）から、該当するジョブ識別情報の識別を実行する（ステップＳ４０３）。ステップＳ４０３において識別された結果により、ジョブキャンセルするか否かを判断する（ステップＳ４０４）。ここで、ジョブキャンセルする場合（ステップＳ４０４：Ｙｅｓ）は、ジョブキャンセルを実行した後（ステップＳ４０５）、処理を終了する。一方、ジョブキャンセルしない場合（ステップＳ４０４：Ｎｏ）は、直ちに処理を終了する。
【００３０】
以上のような手順を経ることにより、このプリンタ装置１００は、新たにジョブの保留状態を設けて、印刷を再開しないジョブの状態を管理し、あらかじめ設定されたジョブ識別情報によって、保留状態のジョブを識別（例えば、ユーザーコードデータの有無など）し、特定の業務でのジョブか、それ以外の業務でのジョブかを識別することが可能となる。この結果、特定の業務の場合にのみ、ジョブキャンセルすることができるようになる。また、無駄な印刷が行われなくなるため、用紙が無駄に消費されることもない。
【００３１】
次に、保留ジョブの印刷再開および削除の処理について説明する。図５は、この保留ジョブの印刷再開および削除の処理手順を示すフローチャートである。図５に示すフローチャートにおいて、まず、ユーザーが操作パネル１０４から保留ジョブを選択する（ステップＳ５０１）。次に、当該保留ジョブの印刷再開が選択されたか否かを判定する（ステップＳ５０２）。ここで、当該保留ジョブの印刷再開が選択された場合（ステップＳ５０２：Ｙｅｓ）は、印刷処理を再開した後（ステップＳ５０３）、当該保留ジョブの選択を終了し（ステップＳ５０４）、処理を終了する。一方、当該保留ジョブの印刷再開が選択されていない場合（ステップＳ５０２：Ｎｏ）は、続いて、当該保留ジョブの削除が選択されたか否かを判定する（ステップＳ５０５）。ここで、当該保留ジョブの削除が選択された場合（ステップＳ５０５：Ｙｅｓ）は、当該保留ジョブを削除した後（ステップＳ５０６）、当該保留ジョブの選択を終了し（ステップＳ５０４）、処理を終了する。一方、当該保留ジョブの削除が選択されていない場合（ステップＳ５０５：Ｎｏ）は、当該保留ジョブの選択を終了し（ステップＳ５０４）、処理を終了する。
【００３２】
以上のような手順を経ることにより、このプリンタ装置１００は、保留状態のジョブを操作パネル１０４に表示し、ユーザーの操作によって、ジョブを選択して印刷の再開や削除を行うことが可能になる。ここでは、特定の業務とそれ以外の業務の印刷を区別できない場合でも、特定の業務以外の印刷を行うユーザーがジャム等のエラーが発生した場合でも、再印刷する必要がなくなる。また、無駄な印刷が行われなくなるため、用紙を無駄に消費することがない。
【００３３】
次に、保留ジョブの削除処理について説明する。図６は、この保留ジョブの削除処理の手順を示すフローチャートである。図６に示すフローチャートにおいて、まず、ホストコンピュータ１０２からの印刷データを受信する（ステップＳ６０１）。次に、受信したジョブの識別情報と、保留状態ジョブ（メモリ１１３に記憶されている）のジョブの識別情報との比較を行う（ステップＳ６０２）。同一のジョブの識別情報が検出されたか否かを判定する（ステップＳ６０３）。ここで、同一のジョブの識別情報が検出された場合（ステップＳ６０３：Ｙｅｓ）は、保留状態ジョブの削除を実行し（ステップＳ６０４）、処理を終了する。一方、同一のジョブの識別情報が検出されなかった場合（ステップＳ６０３：Ｎｏ）は、直ちに処理を終了する。
【００３４】
以上のような手順を経ることにより、このプリンタ装置１００は、保留状態ジョブのジョブの識別情報と、新たにホストコンピュータ１０２から送られたジョブの識別情報とを比較して、同一のジョブの識別情報であれば、保留状態ジョブを削除することができる。この結果、ユーザーが誤って同一ジョブを重複して印刷することがなく、用紙を無駄に消費することを防止できる。
【００３５】
最後に、ホストコンピュータ１０２から同一内容のジョブの印刷データが新たに送られてきた場合に、保留ジョブの印刷を再開し、新たに送られてきた同一内容のジョブを削除する処理を説明する。図７および図８は、保留ジョブの印刷を再開し、新たに送られてきた同一内容のジョブを削除する処理の手順を示すフローチャートである。
【００３６】
まず、図７に示すフローチャートにおいて、ユーザーが操作パネル１０４から保留ジョブを選択する（ステップＳ７０１）。次に、当該保留ジョブの印刷再開が選択されたか否かを判定する（ステップＳ７０２）。ここで、当該保留ジョブの印刷再開が選択された場合（ステップＳ７０２：Ｙｅｓ）は、印刷処理を再開した後（ステップＳ７０３）、当該ジョブの識別情報をメモリ１１３に記憶（図３参照）し（ステップＳ７０４）、当該保留ジョブの選択を終了して（ステップＳ７０５）、処理を終了する。一方、当該保留ジョブの印刷再開が選択されていない場合（ステップＳ７０２：Ｎｏ）は、続いて、当該保留ジョブの削除が選択されたか否かを判定する（ステップＳ７０６）。ここで、当該保留ジョブの削除が選択された場合（ステップＳ７０６：Ｙｅｓ）は、当該保留ジョブを削除した後（ステップＳ７０７）、当該保留ジョブの選択を終了し（ステップＳ７０５）、処理を終了する。一方、当該保留ジョブの削除が選択されていない場合（ステップＳ７０６：Ｎｏ）は、当該保留ジョブの選択を終了し（ステップＳ７０５）、処理を終了する。
【００３７】
続いて、図８に示すフローチャートにおいて、ホストコンピュータ１０２からの印刷データを受信する（ステップＳ８０１）。次に、受信したジョブの識別情報（ジョブ識別情報）と、保留状態にあるジョブ（メモリ１１３に記憶したジョブ）の識別情報との比較を行う（ステップＳ８０２）。そして、同一のジョブの識別情報が検出されたか否かを判定する（ステップＳ８０３）。ここで、同一のジョブの識別情報が検出された場合（ステップＳ８０３：Ｙｅｓ）は、新たに受信したジョブをキャンセルし（ステップＳ８０４）、処理を終了する。一方、同一のジョブの識別情報が検出されなかった場合（ステップＳ８０３：Ｎｏ）は、直ちに処理を終了する。
【００３８】
以上のような手順を経ることにより、このプリンタ装置１００は、印刷処理が再開されたジョブ（保留状態にあったジョブ）のジョブ識別情報と、新たにホストコンピュータ１０２から送られたジョブのジョブ識別情報とを比較して、同一のジョブ識別情報であれば、新たに送られたジョブをキャンセルすることができる。この結果、ユーザーが誤って印刷を再開した場合でも、同一ジョブを重複して印刷することがなく、用紙を無駄に消費することを防止できる。
【００３９】
以上説明したように、この発明の実施の形態にかかるプリンタ装置によれば、特定の業務のジョブとそれ以外のジョブとを識別し、エラーの発生時には特定の業務のジョブのみをキャンセルすることで印刷処理の効率を向上させることができる。
【産業上の利用可能性】
【００４０】
以上のように、この発明にかかるプリンタ装置は、印刷処理の効率を向上させることに有用であり、特に、同一ジョブの重複印刷の回避に適している。
【図面の簡単な説明】
【００４１】
【図１】この発明の実施の形態にかかるプリンタ装置の構成を示すブロック図である。
【図２】ジョブ識別設定の一例を示す図表である。
【図３】メモリに記憶されるジョブのジョブ識別情報の状態を示す図である。
【図４】ジョブキャンセルの処理手順を示すフローチャートである。
【図５】保留ジョブの印刷再開および削除の処理手順を示すフローチャートである。
【図６】保留ジョブの削除処理の手順を示すフローチャートである。
【図７】保留ジョブの印刷を再開し、新たに送られてきた同一内容のジョブを削除する処理の手順を示すフローチャート（その１）である。
【図８】保留ジョブの印刷を再開し、新たに送られてきた同一内容のジョブを削除する処理の手順を示すフローチャート（その２）である。
【符号の説明】
【００４２】
１００  プリンタ装置
１０１  ネットワーク
１０２  ホストコンピュータ
１０３  プリンタコントローラ
１０４  操作パネル
１０５  プリンタエンジン
１１１  ＣＰＵ
１１２  ホストインタフェース
１１３  メモリ
１１４  操作パネルインタフェース
１１５  エンジンインタフェース
１１６  内部バス
【図１】
2006212799.tif 000003
【図２】
2006212799.tif 000004
【図３】
2006212799.tif 000005
【図４】
2006212799.tif 000006
【図５】
2006212799.tif 000007
【図６】
2006212799.tif 000008
【図７】
2006212799.tif 000009
【図８】
2006212799.tif 000010